(57)【要約】【課題】  レーザパワー調整領域を使い尽くした後にもレーザパワー調整を行うことで、記録データの信頼性確保と、メディアの利用効率の向上を実現する。【解決手段】  ＰＣＡを使い尽くすまでの間は、ＰＣＡを用いてレーザパワーの調整を行う。ＰＣＡを使い尽くした後は、記録開始位置に追加ＰＣＡを確保し、当該追加ＰＣＡを用いてレーザパワー調整を行う。  追加ＰＣＡを確保したとき、物理フォーマット上は、今回記録された情報ファイルと、先に記録された最終の情報ファイルの間に追加ＰＣＡ領域が存在する。このとき、追加ＰＣＡ領域に試し書きされた情報は、情報ファイルとは見なされず、これを除外して、今回記録された情報ファイルのみからＰＭＡ情報を生成し記録する。よって、追加ＰＣＡは、論理上、ディスク上に存在せず、再生の際に追加ＰＣＡを誤って再生するといった不都合も生じない。【選択図】    図３
2005216422.tif 000002
【特許請求の範囲】
【請求項１】
追記型光記録媒体に対して情報を記録再生する光記録再生装置において、
前記光記録媒体上に予めフォーマットされたレーザパワー調整領域以外の領域に、レーザパワー調整用の追加領域を確保する追加領域確保手段と、
前記レーザパワー調整領域または前記追加領域に所定の情報を記録および再生したときの状態から前記レーザ光のパワー調整を行うレーザパワー調整手段と、
記録情報ファイルの記録アドレスを管理する管理情報を生成し前記記録媒体に記録する管理情報記録手段とを備え、
前記管理情報記録手段は、前記追加領域を用いてレーザパワー調整を行った場合、当該追加領域を管理ファイルから論理上削除して管理情報を生成する、
ことを特徴とする光記録再生装置。
【請求項２】
請求項１において、
前記追加領域確保手段は、前記レーザパワー調整領域がレーザパワー調整によって使い尽くされたときに、前記追加領域を確保する、
ことを特徴とする光記録再生装置。
【請求項３】
請求項１または２において、
前記追加領域確保手段は、記録アドレスと予め設定したアドレスとを比較して、前記追加領域を確保する、
ことを特徴とする光記録再生装置。
【請求項４】
請求項１ないし３の何れかにおいて、
前記追加領域確保手段は、前記記録媒体に記録済みの最終の記録ファイルに引き続いて前記追加領域を確保する、
ことを特徴とする光記録再生装置。
【請求項５】
請求項１ないし３の何れかにおいて、
記録環境を表すパラメータが前回のレーザパワー調整時に比べ所定の閾値を越えて変化したかを判別する判別手段をさらに備え、
前記レーザパワー調整手段は、前記判別手段によって前記パラメータが前記閾値を越えて変化したと判別したときに、レーザパワー調整を行う、
ことを特徴とする光記録再生装置。
【請求項６】
請求項５において、
前記判別手段は、記録環境を表すパラメータとして、当該記録再生装置内の温度を監視する、
ことを特徴とする光記録再生装置。
【発明の詳細な説明】
【技術分野】
【０００１】
本発明は、光記録再生装置に関し、特に、追記型光ディスクに情報を記録／再生する際に用いて好適なものである。
【背景技術】
【０００２】
現在の普及している記録メディア（光ディスク）は、ＣＤ−ＲＯＭやＤＶＤ−ＲＯＭなどの再生専用型メディア、ＣＤ−ＲＷやＤＶＤ−ＲＷなどの書き換え型メディア、および、ＣＤ−Ｒ、ＤＶＤ―Ｒ、ＤＶＤ＋Ｒなどの追記型メディアに大別できる。このうち、ＣＤ−Ｒ、ＤＶＤ―Ｒ、ＤＶＤ＋Ｒなどの追記型メディアは、一回のみの記録しかできないが、その反面、書き替え型メディアに比べ安価であり、また、ＣＤ−ＲＯＭやＤＶＤ−ＲＯＭなどの再生専用型メディアとの間で高い互換性が維持されているところに特長がある。
【０００３】
かかる追記型メディアには、パワーキャリブレーションエリア（ＰＣＡ）が配されており、このＰＣＡを用いてレーザパワーの調整がなされた後に、通常の記録・再生動作が行われる。この場合、ＰＣＡが使い尽くされると、もはやレーザパワー調整をなし得ないことから、通常、ＰＣＡが使い尽くされた後には、記録動作は行われないようになっている。
【０００４】
このように、従来の追記型メディアでは、その記録容量がＰＣＡの使用状況によって大きく左右される。ディスクへの記録・追記を頻繁に行い、その結果、ＰＣＡの使用頻度が高くなると、多くの空き容量が残存しているにも拘わらず、ディスクが利用できなくなってしまう場合がある。かかる不都合は、今後、追記型メディアの大容量化がさらに進むことにより一層深刻な問題となる。
【０００５】
これに対し、以下に示す特許文献１には、最周部とは別に、最外周にもレーザパワー調整領域（アウターパワーキャリブレーションエリア）を配しておき、必要に応じて適宜、この調整領域を用いてレーザパワーの調整を行う技術が記載されている。かかる技術によれば、通常のＰＣＡの他、アウターパワーキャリブレーションエリアを用いてパワー調整を行うことができるため、上記に比べ、ディスクの利用効率を向上させることができる。
【特許文献１】特開２００２−１７５６２４号公報
【発明の開示】
【発明が解決しようとする課題】
【０００６】
しかしながら、上記特許文献１においても、アウターキャリブレーションエリアを使い尽くした後には、もはや記録動作を行い得ず、上記と同様、メディアの利用効率が低下するとの問題が生じる。
【０００７】
また、追記型ディスクは、面内で記録感度にばらつきがあるため、アウターキャリブレーションエリアを用いてレーザパワー調整を行うと、レーザパワーを適正値に調整できない惧れがある。記録層は、通常、スピンコート法によって塗布して形成されるため、外周部に近づくにつれて記録層の特性が急激に変化する。このため、アウターキャリブレーションエリアを用いて、内周部または中央部の記録位置に対するレーザパワー調整を行うと、レーザパワーが本来の適正値から大きくかけ離れてしまう惧れがある。
【０００８】
そこで、本発明は、かかる不都合を解消し、レーザパワー調整を効率的に行うことで、記録データの信頼性確保と、メディアの利用効率の向上を同時に実現できる光記録再生装置を提供することを課題とする。
【課題を解決するための手段】
【０００９】
上記課題に鑑み、発明はそれぞれ以下に示す特徴を有する。
【００１０】
請求項１の発明は、追記型光記録媒体に対して情報を記録再生する光記録再生装置において、前記光記録媒体上に予めフォーマットされたレーザパワー調整領域以外の領域にレーザパワー調整用の追加領域を確保する追加領域確保手段と、前記レーザパワー調整領域または前記追加領域に所定の情報を記録および再生したときの状態から前記レーザ光のパワー調整を行うレーザパワー調整手段と、記録情報ファイルの記録アドレスを管理する管理情報を生成し前記記録媒体に記録する管理情報記録手段とを備え、前記管理情報記録手段は、前記追加領域を用いてレーザパワー調整を行った場合、当該追加領域を管理ファイルから論理上削除して管理情報を生成することを特徴とする。
【００１１】
請求項２の発明は、請求項１に記載の光記録再生装置において、前記追加領域確保手段は、前記レーザパワー調整領域がレーザパワー調整によって使い尽くされたときに、前記追加領域を確保することを特徴とする。
【００１２】
請求項３の発明は、請求項１または２に記載の光記録再生装置において、前記追加領域確保手段は、記録アドレスと予め設定したアドレスとを比較して、前記追加領域を確保することを特徴とする。
【００１３】
請求項４の発明は、請求項１ないし３の何れかに記載の光記録再生装置において、前記追加領域確保手段は、前記記録媒体に記録済みの最終の記録ファイルに引き続いて前記追加領域を確保することを特徴とする。
【００１４】
請求項５の発明は、請求項１ないし３の何れかに記載の光記録再生装置において、記録環境を表すパラメータが前回のレーザパワー調整時に比べ所定の閾値を越えて変化したかを判別する判別手段をさらに備え、前記レーザパワー調整手段は、前記判別手段によって前記パラメータが前記閾値を越えて変化したと判別したときに、レーザパワー調整を行うことを特徴とする。
【００１５】
請求項６の発明は、請求項５に記載の光記録再生装置において、前記判別手段は、記録環境を表すパラメータとして、当該記録再生装置内の温度を監視することを特徴とする。
【００１６】
本発明の特徴は、以下に示す実施の形態の説明により更に明らかとなろう。ただし、以下に示す実施の形態は、あくまでも、本発明の一つの実施形態であって、本発明ないし各構成要件の用語の意義は、以下の実施の形態に記載されたものに制限されるものではない。
【発明の効果】
【００１７】
本発明によれば、レーザパワー調整領域の他に適宜追加領域を確保してレーザパワー調整を行うものであるから、メディアの利用効率を高めながら効果的に、レーザパワー調整を行うことができる。このとき、追加領域は、管理ファイルから論理上削除されるので、再生の際に追加領域が障害となることもない。
【００１８】
また、請求項２のように、レーザパワー調整領域を使い尽くしたときに追加領域を確保するようにすれば、記録領域を余すことなく、最適レーザパワーにて、情報の記録を行うことができる。
【００１９】
また、請求項３のように、記録アドレスと予め設定したアドレスとを比較して追加領域を確保するようにすれば、メディア面内で記録感度にばらつきがあるような場合にも、レーザパワーを最適値に設定することができる。
【００２０】
また、請求項４のように、記録媒体に記録済みの最終の記録ファイルに引き続いて追加領域を確保するようにすれば、極めて精度のよいレーザパワーを設定することができる。
【００２１】
また、請求項５のように、記録環境を表すパラメータが前記閾値を越えて変化したときにレーザパワーを調整するようにすれば、レーザパワー調整の頻度を最小限に抑えることができ、もって、レーザパワー調整領域の消費を効果的に抑制ことができ、あるいは、追加領域の無駄な確保を回避することができる。その結果、追加領域に用いられる記録容量を最小限に抑えることができ、もって、記録領域の利用効率を効果的に高めることができる。
【００２２】
なお、記録特性に最も大きな影響を及ぼすパラメータは、記録再生装置内の温度環境である。よって、請求項６のように、記録再生装置内の温度を監視して、レーザパワー調整の要否を判定するようにすれば、最も効果的に、レーザパワー調整の適否を判別することができる。
【００２３】
上記の他、本発明にて奏される作用効果は、以下に示す実施の形態の説明により、さらに明瞭に理解されることとなろう。
【発明を実施するための最良の形態】
【００２４】
以下、本発明の実施の形態につき図面を参照して説明する。なお、本実施の形態は、ＤＶＤ−Ｒに対して情報を記録再生する記録再生装置に本発明を適用したものである。
【００２５】
まず、図１に追記型ディスクに情報を記録再生する記録再生装置の回路ブロック図を示す。図示の如く、本実施の形態に係る記録再生装置は、ＥＣＣエンコーダ１０１と、変調回路１０２と、フォーマッタ１０３と、レーザ駆動回路１０４と、光ピックアップ１０５と、信号増幅器１０６と、サーボ回路１０７と、スピンドルモータ１０８と、ＰＬＬ１０９と、Ａ／Ｄ変換回路１１０と、イコライザ１１１と、ビタビ復号回路１１２と、アンフォーマッタ１１３と、復調回路１１４と、ＥＣＣデコーダ１１５と、コントローラ１２０と、ホストコンピュータ１２１を含んでいる。なお、同図中、１００は、追記型光ディスク（ＤＶＤ−Ｒ）である。
【００２６】
ＥＣＣエンコーダ１０１は、入力された記録データに誤り訂正符号を付加し、変調回路１０２へと出力する。変調回路１０２は、たとえばＥＦＭ変調、ＥＦＭＰ変調、ＲＬＬ（１，７）変調等、記録データに対し最短または最長のデータ長に制限を加えるように、または低域周波数を抑圧しＤＣ成分の変動を抑えるように記録データおよび誤り訂正符号に対して変調を行う。フォーマッタ１０３は、変調された記録データを、コントローラ１２０からのタイミング信号に基づき、追記型ディスクの物理フォーマットに合う形に加工し、レーザ駆動回路１０４へと出力する。レーザ駆動回路１０４は、フォーマッタ１０３からの記録信号に基づき、追記型ディスクに最適な記録パワーでレーザを出射するよう光ピックアップ１０５を制御する。
【００２７】
光ピックアップ１０５により再生された信号は、信号増幅器１０６にて、増幅および演算される。サーボ回路１０７は、信号増幅器１０６からの信号に基づき、スピンドルモータ１０８の回転、光ピックアップ１０５のトラッキング機構、フォーカス機構を制御する。ＰＬＬ１０９は、信号増幅器１０６からの再生ＲＦ信号により再生データに同期したクロックを生成し、各回路へと出力する。Ａ／Ｄ変換回路１１０は、再生ＲＦ信号をＰＬＬ１０９からのクロックに同期して標本化することでアナログ信号からデジタルデータへの変換を行う。イコライザ１１１は、デジタルデータを所望の波形に等化し、ビタビ復号回路１１２へと出力する。ビタビ復号回路１１２は、ハミング距離の演算結果に基づき最も確からしいデータ列を選択し、２値データを出力する。
【００２８】
アンフォーマッタ１１３は、コントローラ１２０からのタイミング信号に基づいて、フォーマッタ１０３で加工されたデータを取り除き、ユーザデータおよび該誤り訂正符号を抽出する。復調回路１１４は、変調回路１０２で変調されたデータを復調し、ＥＣＣデコーダ１１５に出力する。ＥＣＣデコーダ１１５は、誤り訂正符号によって再生データの誤り検出および誤り訂正を行い、訂正後の再生データを後段回路に出力する。なお、ＥＣＣデコーダ１１５からは再生されたアドレスデータ（論理アドレス）がコントローラ１２０に供給される。
【００２９】
コントローラ１２０は、ホストコンピュータ１２１からの記録・再生等に関する各種コマンドを受けて、各種タイミング信号または制御信号を生成し、各部を制御する。なお、コントローラ１２０は、後述の如くして、レーザパワーの調整を行う。ホストコンピュータ１２１は、ＣＰＵやＭＰＵによって構成され、ユーザからの入力指令等に応じて、各種コマンドをコントローラ１２０に出力する。
【００３０】
次に、コントローラ１２０において行われるレーザパワーの調整処理について説明する。
【００３１】
レーザパワー調整時、コントローラ１２０は、フォーマッタ１０３に所定のデータを出力し、かかるデータの記録動作を実行させる。このとき、コントローラ１２０は、たとえば、１ＥＣＣブロックのデータを８回、合計８ＥＣＣブロック分のデータをフォーマッタ１０３に出力する。そして、１ＥＣＣブロックずつレーザパワーを変更しながら、合計８通りのデータをディスク１００に記録する。
【００３２】
なお、当該記録の際に用いられるディスク領域の設定方法については、追って、実施例１ないし４の説明において明らかにする。
【００３３】
次に、コントローラ１２０は、記録したデータの再生動作を実行させる。再生されたデータは、信号増幅器１０６から復調回路１１４を介して、ＥＣＣデコーダ１１５に出力される。ＥＣＣデコーダ１１５では、再生データを１ＥＣＣブロックずつ順次処理し、このときのエラーレートをコントローラ１２０に出力する。コントローラ１２０は、ＥＣＣデコーダ１１５のエラーレートを記録時に設定した８通りのレーザパワーに対応付け、レーザパワーとエラーレートの関係を検出する。
【００３４】
図２は、このときの検出結果の一例を示すものである。
【００３５】
コントローラ１２０は、検出したレーザパワーとエラーレートの関係から、たとえば、エラーレートが閾値Ｅ０よりも小さく、且つ、エラーレートが最も小さい記録レーザパワーを最適レーザパワーとして設定する。そして、設定したレーザパワーを用いて、その後の記録動作を実行する。
【００３６】
なお、最適レーザパワーの設定方法は、上記に限定されるものではなく、他に種々の変更が可能である。
【００３７】
図３は、追記型ディスクのディスクアロケーションを示す図である。
【００３８】
図示の如く、追記型ディスクは、ユーザデータエリアの始まりを示すリードインエリア、ユーザデータの記録領域であるユーザデータエリアおよびユーザデータエリアの終りを示すリードアウトエリアを確保可能な記録領域を備えている。また、記録または再生レーザパワーを決定するために使用するパワーキャリブレーションエリア（ＰＣＡ）と、記録条件やファイル管理情報（記録済みファイルの開始アドレス）等、追記型メディアに特有の情報を記録可能なプログラムメモリエリア（ＰＭＡ）が、再生専用型ディスクのリードインエリア位置に先立って備えられている。
【００３９】
本実施の形態では、ＰＣＡ以外に追加のレーザパワー調整領域（追加ＰＣＡ）が適宜確保される。そして、ＰＣＡまたは追加ＰＣＡを用いて、上述のレーザパワー調整動作が実行される。なお、ＰＣＡの使用状況に関する情報は、ＰＭＡの空きエリアに記録される。
【００４０】
以下、ＰＣＡまたは追加ＰＣＡを用いてレーザパワー調整を行う際の動作について説明する。
【実施例１】
【００４１】
図４に、本実施例における、レーザパワー調整時のフローチャートを示す。
【００４２】
記録再生装置に追記型ディスクが装着されると、コントローラ１２０は、まず、ディスク上に記録されているＰＭＡを読み取り、自己の内蔵メモリに記憶する（Ｓ１０１）。そして、ホストコンピュータ１２１からファイル情報の記録指令が入力されるまで待機する（Ｓ１０２）。
【００４３】
しかる後、ホストコンピュータ１２１からファイル情報の記録指令が入力されると（Ｓ１０２：ＹＥＳ）、コントローラ１２０は、内蔵メモリに記憶したＰＭＡ情報を参照し（Ｓ１０３）、ＰＣＡに空き領域が残存しているかを判別する（Ｓ１０４）。ＰＣＡが残存していれば（Ｓ１０４：ＹＥＳ）、上記の如くＰＣＡに対する記録再生を行ってレーザパワー調整を行う（Ｓ１０５）。他方、ＰＣＡが残存していなければ（Ｓ１０４：ＮＯ）、記録済みの最終ファイルに続く位置（アドレス）に追加ＰＣＡを確保し（Ｓ１０６）、確保した追加ＰＣＡに記録再生を行ってレーザパワー調整を行う（Ｓ１０７）。なお、追加ＰＣＡとして確保される領域の容量は、レーザパワーの調整に最低限必要な容量に設定される。
【００４４】
しかして、レーザパワー調整が実行された後、コントローラ１２１は、ＥＣＣエンコーダ１０１ないしレーザ駆動回路１０４を制御して、情報ファイルの記録動作を実行する（Ｓ１０８）。ここで、上記Ｓ１０６およびＳ１０７にて追加ＰＣＡが確保された場合には、かかる記録動作は、レーザパワー調整時に試し書きされた最終記録位置（アドレス）に引き続いて行われる。そして、当該情報ファイルの記録が終了すると、コントローラ１２０は、自己の内蔵メモリに記憶されているＰＭＡ情報に、今回記録された情報ファイルに関するＰＭＡ情報を追加し、これをＰＭＡに記録する（Ｓ１０９）。
【００４５】
なお、上記Ｓ１０６およびＳ１０７にて追加ＰＣＡが確保された場合には、上記の如く、ディスクの物理フォーマット上は、今回記録された情報ファイルと、先に記録された最終の情報ファイルの間に追加ＰＣＡ領域が存在している。かかる場合、コントローラ１２１は、追加ＰＣＡ領域に試し書きされた情報を情報ファイルとは見なさず、これを除外して、今回記録された情報ファイルのみからＰＭＡ情報を生成する。したがって、追加ＰＣＡは、論理上、ディスク上に存在しないこととなり、よって、再生の際に追加ＰＣＡを誤って再生するといった不都合も生じない。
【００４６】
しかして、ＰＭＡ情報の記録が終了すると、次に、ディスクが記録再生装置からイジェクトされたかが判別される（Ｓ１１０）。イジェクトされなければ、Ｓ１０２に戻り、次のファイル記録指令の入力を待つ。
【００４７】
以上、本実施例によれば、ＰＣＡを使い尽くしたときに追加ＰＣＡを確保してレーザパワー調整を行うものであるから、記録領域を余すことなく、最適レーザパワーにて、情報の記録を行うことができる。また、追加ＰＣＡは、ＰＭＡから論理上削除されるので、再生の際に追加ＰＣＡが障害となることもない。
【実施例２】
【００４８】
上記実施例１では、ＰＣＡを使い尽くしたときに追加ＰＣＡを確保するようにしたが、本実施例は、ＰＣＡを使い尽くさなくとも、新たな情報ファイルの記録アドレスが予め設定したアドレスを越えているときは、追加ＰＣＡを確保してレーザパワー調整を行うものである。
【００４９】
図５に、本実施例におけるレーザパワー調整時のフローチャートを示す。
【００５０】
かかるフローチャートでは、新たにＳ１２０が追加されている。その他のステップにおける処理は上記実施例１と同じである。
【００５１】
本実施例では、Ｓ１２０にて、新たな情報ファイルの記録アドレスが予め設定したアドレスＡ０を越えているかが判別され、越えていれば、Ｓ１０６にて追加ＰＣＡが確保される。他方、越えていなければ、Ｓ１０４にて、ＰＣＡに空きエリアがあるかが判別され、空きエリアがあれば（Ｓ１０４：ＹＥＳ）、ＰＣＡを用いてレーザパワー調整を行い（Ｓ１０５）、空きエリアがなければ（Ｓ１０４：ＮＯ）、追加ＰＣＡを確保して（Ｓ１０６）、レーザパワー調整を行う（Ｓ１０７）。
【００５２】
なお、アドレスＡ０は、ディスク内周側から記録層の特性が比較的安定していると想定されるところまでの領域を記録トラック上の位置（アドレス）によって与えるものである。かかるアドレスＡ０は、実験的または統計的手法によって検証して設定される。
【００５３】
本実施例によれば、上記実施例１と同様、ＰＣＡを使い尽くしたことに応じて追加ＰＣＡを確保し、レーザパワー調整を行うものであるから、記録領域を余すことなく、最適レーザパワーにて、情報の記録を行うことができる。また、追加ＰＣＡは、ＰＭＡから論理上削除されるので、再生の際に追加ＰＣＡが障害となることもない。
【００５４】
加えて、本実施例では、記録位置がアドレスＡ０を越える場合、すなわち、記録特性が不安定な領域に記録位置が達した場合に、最内周部のＰＣＡではなく、記録位置直近に確保した追加ＰＣＡを利用してレーザパワー調整を行うため、上記実施例１に比べ、レーザ光をより最適なレーザパワー値に設定することができる。
【実施例３】
【００５５】
本実施例は、上記実施例１にさらなる改良を加えたものである。すなわち、上記実施例１では、新たな情報ファイルの記録を行う度に、レーザパワーの調整を行うようにしたが、本実施例は、装置内の記録環境を監視し、記録環境が記録特性に影響を与える程度に変化したときにのみ、レーザパワーの調整を行うものである。
【００５６】
図６に、本実施例における記録再生装置の構成を示す。本実施例に係る記録再生装置は、上記に比べ、装置内温度を検出する温度センサー１３０が別途配備されている。その他の構成は、上記実施例１（図１）と同じである。ここで、コントローラ１２０は、レーザパワー調整を実行する毎に、温度センサー１３０によって検出された温度Ｔを内蔵メモリに記憶する。そして、前回のレーザパワー調整時に検出された温度Ｔと、現ファイル情報記録時に検出された温度Ｔとの間の差分ΔＴを、予め設定した閾値Ｔ０と比較し、ΔＴが閾値Ｔ０を越えている場合にのみ、レーザパワーの調整を実行する。なお、ΔＴが閾値Ｔ０を越えていない場合は、先のファイル情報記録時に設定されたレーザパワーをそのまま用いて当該ファイル情報の記録を行う。
【００５７】
図７に、本実施例におけるレーザパワー調整時のフローチャートを示す。
【００５８】
かかるフローチャートでは、上記実施例１に係る図４のフローチャートに比べ、新たにＳ１３０が追加されている。その他のステップにおける処理は上記実施例１と同じである。
【００５９】
本実施例では、Ｓ１３０にて、前回のレーザパワー調整時からの温度変化ΔＴが、予め設定された閾値温度Ｔ０を越えているかが判別される。そして、越えていなければ、Ｓ１０８に進み、それまでのレーザパワーをそのまま用いて、ファイル情報の記録が行われる。他方、越えていれば、Ｓ１０３に進み、ＰＣＡに空きエリアが残存しているかに応じて、追加ＰＣＡの確保が調整される。
【００６０】
なお、閾値温度Ｔ０は、記録環境が記録特性に影響を与える程度に変化したことを装置内温度の変化値によって与えるものである。かかる閾値温度Ｔ０は、実験的または統計的手法によって検証して設定される。
【００６１】
本実施例によれば、上記実施例１と同様、ＰＣＡを使い尽くしたことに応じて追加ＰＣＡを確保し、レーザパワー調整を行うものであるから、記録領域を余すことなく、最適レーザパワーにて、情報の記録を行うことができる。また、追加ＰＣＡは、ＰＭＡから論理上削除されるので、再生の際に追加ＰＣＡが障害となることもない。
【００６２】
加えて、本実施例では、装置内温度Ｔの変化量ΔＴが、先のレーザパワー調整時に比べ、閾値温度Ｔ０を越える程度に変化した場合、すなわち、記録環境が前回のレーザパワー調整時に比べ記録再生特性に影響を及ぼす程度に変化した場合にのみ、レーザパワー調整を行うものであるから、レーザパワーの調整回数を必要最小限度に抑えることができ、もって、ＰＣＡの無駄な消費を抑制することができる。その結果、上記実施例１に比べ、ＰＣＡの使い尽くしによる追加ＰＣＡの確保を抑制でき、もって、追加ＰＣＡの確保による記録容量の減少を効果的に抑制することができる。
【００６３】
なお、本実施例では、記録環境の変化を表すパラメータとして装置内温度を用いたが、その他のパラメータを用いるようにしても良い。また、前回のレーザパワー調整時からの経過時間Ｔが閾値Ｔ０を越えたときに、レーザパワーの調整を行うようにしても良い。
【実施例４】
【００６４】
本実施例は、上記実施例２にさらなる改良を加えたものである。すなわち、上記実施例２では、新たな情報ファイルの記録を行う度に、レーザパワーの調整を行うようにしたが、本実施例は、上記実施例３と同じく、装置内の記録環境を監視し、記録環境が記録特性に影響を与える程度に変化したときにのみ、レーザパワーの調整を行うものである。
【００６５】
記録再生装置の構成は、上記実施例３で示した図６と同じである。なお、上記実施例２では、記録アドレスが閾値アドレスＡ０を越えたとき、新たなファイルが記録される毎に追加ＰＣＡが確保されたが、本実施例では、図８に示すように、閾値アドレスＡ０を越えていても、前回のレーザパワー調整時（たとえば、同図のファイルＮ＋１の記録時）の装置内温度から現ファイル情報の記録時（たとえば、同図のファイルＮ＋２の記録時）までの間の温度変化ΔＴが閾値温度Ｔ０を越えていなければ、追加ＰＣＡは確保されず、それまでのレーザパワーをそのまま用いて当該ファイル情報の記録がなされる。
【００６６】
図９に、本実施例におけるレーザパワー調整時のフローチャートを示す。
【００６７】
かかるフローチャートでは、上記実施例２に係る図５のフローチャートに比べ、新たにＳ１３０が追加されている。その他のステップにおける処理は上記実施例２と同じである。
【００６８】
本実施例では、Ｓ１３０にて、前回のレーザパワー調整時からの温度変化ΔＴが、予め設定された閾値温度Ｔ０を越えているかが判別される。そして、越えていなければ、Ｓ１０８に進み、それまでのレーザパワーをそのまま用いて、ファイル情報の記録が行われる。他方、越えていれば、Ｓ１０３に進み、ＰＣＡに空きエリアが残存しているかに応じて、追加ＰＣＡの確保が調整される。
【００６９】
なお、閾値温度Ｔ０は、上記実施例３と同様、記録環境が記録特性に影響を与える程度に変化したことを装置内温度の変化値によって与えるものである。かかる閾値温度Ｔ０は、実験的または統計的手法によって検証して設定される。
【００７０】
本実施例によれば、上記実施例２と同様の効果をそのまま奏することができる。
【００７１】
加えて、本実施例では、装置内温度Ｔの変化量ΔＴが、先のレーザパワー調整時に比べ、閾値温度Ｔ０を越える程度に変化した場合、すなわち、記録環境が前回のレーザパワー調整時に比べ記録再生特性に影響を及ぼす程度に変化した場合にのみ、レーザパワー調整を行うものであるから、レーザパワーの調整回数を必要最小限度に抑えることができ、もって、ＰＣＡの無駄な消費および追加ＰＣＡの無駄な確保を抑制することができる。その結果、上記実施例２に比べ、ＰＣＡの使い尽くしによる追加ＰＣＡの確保、および、アドレスＡ０を越える領域における追加ＰＣＡの無駄な確保を抑制でき、もって、追加ＰＣＡの確保による記録容量の減少を効果的に抑制することができる。
【００７２】
なお、本実施例においても、上記実施例３と同様、記録環境の変化を表すパラメータとして装置内温度以外のパラメータを用いるようにしても良い。また、前回のレーザパワー調整時からの経過時間Ｔが閾値Ｔ０を越えたときに、レーザパワーの調整を行うようにしても良い。
【００７３】
以上、本発明に係る実施の形態を説明したが、本発明は上記実施の形態に限定されるものではなく、他に種々の変更が可能であることは言うまでもない。本発明の実施の形態は、特許請求の範囲に示された技術的思想の範囲内において、適宜、種々の変更が可能である。
【図面の簡単な説明】
【００７４】
【図１】実施の形態に係る光記録再生装置の構成を示す図
【図２】実施の形態に係るレーザパワー調整処理を説明する図
【図３】実施の形態に係る追記型光ディスクの構成を示す図
【図４】実施例１におけるレーザパワー調整時の処理フローチャート
【図５】実施例２におけるレーザパワー調整時の処理フローチャート
【図６】実施例３における光記録再生装置の構成を示す図
【図７】実施例３におけるレーザパワー調整時の処理フローチャート
【図８】実施例４に係る追記型光ディスクの記録状態を示す図
【図９】実施例４におけるレーザパワー調整時の処理フローチャート
【符号の説明】
【００７５】
１００  追記型ディスク
１０１  ＥＣＣエンコーダ
１０２  変調回路
１０３  フォーマッタ
１０４  レーザ駆動回路
１０５  光ピックアップ
１０６  信号増幅器
１１０  Ａ／Ｄ変換回路
１１１  イコライザ
１１２  ビタビ復号回路
１１３  アンフォーマッタ
１１４  復調回路
１１５  ＥＣＣデコーダ
１２０  コントローラ
１２１  ホストコンピュータ
【図１】
2005216422.tif 000003
【図２】
2005216422.tif 000004
【図３】
2005216422.tif 000005
【図４】
2005216422.tif 000006
【図５】
2005216422.tif 000007
【図６】
2005216422.tif 000008
【図７】
2005216422.tif 000009
【図８】
2005216422.tif 000010
【図９】
2005216422.tif 000011